(57)【要約】【課題】便器内部の密閉性を向上させて、尿や洗浄水などの便器外部への飛散の防止や、臭気の拡散を低減できる洋風便器装置を提供する。【解決手段】便座１４の裏面に弾性体１１を取付けて、便座１４を閉じたときに、便器本体１９のリム部上面１２ａと弾性体１１が当接して、便座１４とリム部上面１２ａとの間に隙間が形成されないような構成としている。【選択図】図１
2008023166.tif 000002
【特許請求の範囲】
【請求項１】
便座の裏面に弾性体を取付けて、該便座を閉じたときに、便器本体のリム部上面と該弾性体が当接して、該便座と該リム部上面との間に隙間が形成されないような構成としていることを特徴とする洋風便器装置。
【請求項２】
請求項１において、
便蓋を閉じた状態で便器内部を自動洗浄する洗浄手段を更に備えており、
前記便蓋の裏面に弾性体を取付けて、該便蓋を閉じたときに、前記便座と該弾性体が当接して、該便蓋と該便座との間に隙間が形成されないような構成としていることを特徴とする洋風便器装置。
【請求項３】
請求項２において、
前記便蓋の裏面の弾性体は、自動洗浄時に前記便器内部で噴出される便器洗浄水の前記便座の着座面への付着を防ぐような構成とされていることを特徴とする洋風便器装置。
【請求項４】
請求項３において、
前記便蓋の裏面の弾性体は、前記便座の開口部に応じた環状壁部を突設した構造とされ、前記便蓋を閉じたときに、前記環状壁部を前記便座の開口部に嵌入させて、該便座の着座面への前記便器洗浄水の付着を防ぐようにしていることを特徴とする洋風便器装置。
【請求項５】
請求項３において、
前記便蓋の裏面の弾性体は、該便蓋の裏面の全面に取付けられ、前記便座の開口部に応じた膨出部を有する構造とされ、前記便蓋を閉じたときに、前記膨出部を前記便座の開口部に嵌入させて、該便座の着座面への前記便器洗浄水の付着を防ぐようにしていることを特徴とする洋風便器装置。
【発明の詳細な説明】
【技術分野】
【０００１】
本発明は、洋風便器装置の改良に関し、詳しくは、便器内部の密閉性を向上させる洋風便器装置に関するものである。
【背景技術】
【０００２】
近時において、洋風便器装置は、種々の装置を備えたものが提案されており、例えば、座位にて使用する際に、人体局部用の洗浄ノズルからの局部洗浄水の噴出により人体の局部を洗浄する温水洗浄機能を備えたものや、便器の使用を検知し、自動的に便器内部の脱臭を行う機能を有するものなどがある。
【０００３】
前記人体局部を洗浄する機能を備えたものでは、使用者の局部に噴出された局部洗浄水が、便器本体の上端に周設されるリム部と、座位使用時に該リム部上面に載置される便座との隙間から飛散することがある。
また、座位にて使用の際には、尿なども前記隙間より飛散することもある。
【０００４】
前記のような問題を解決するものとして、特許文献１では、図６に示すように、湾曲可能な弾性を有した飛散防止部材１を洋風便器３のリム２の上縁に沿って装着することで、リム２と便座（不図示）との隙間から温水洗浄装置の局部洗浄水や尿などの飛散を防止する便器用飛散防止部材が提案されている。
【特許文献１】特開２００３−１４７８２９号公報
【発明の開示】
【発明が解決しようとする課題】
【０００５】
しかし、前記特許文献１で提案されている便器用飛散防止部材１では、座位にて使用時に尿などの便器外部への飛散を防止することは可能であっても、便座と便器本体（特にリム部）との密閉性を向上させるものではなく、便器用飛散防止部材１のない便器後方からの局部洗浄水の飛散や、臭気が便器外部に拡散することを効果的に防止できるものではない。
また、立姿にて使用する際には、便器用飛散防止部材１がリム２から突出しているため、特に幼児や子供が使用する際などは、尿が便器用飛散防止部材１に当たり、尿の跳ね返りによるトイレ室内への尿の飛散などの問題もあった。
【０００６】
本発明は、前記問題を解決するために提案されたもので、その目的は、便器内部の密閉性を向上させて、尿や洗浄水などの便器外部への飛散の防止や、臭気の拡散を低減できる洋風便器装置を提供することにある。
【課題を解決するための手段】
【０００７】
前記目的を達成するために、請求項１に記載の洋風便器装置は、便座の裏面に弾性体を取付けて、該便座を閉じたときに、便器本体のリム部上面と該弾性体が当接して、該便座と該リム部上面との間に隙間が形成されないような構成としていることを特徴とする。
【０００８】
請求項２では、請求項１において、便蓋を閉じた状態で便器内部を自動洗浄する洗浄手段を更に備えており、前記便蓋の裏面に弾性体を取付けて、該便蓋を閉じたときに、前記便座と該弾性体が当接して、該便蓋と該便座との間に隙間が形成されないような構成としていることを特徴とする。
ここに、便器内部とは、便蓋が閉じられた状態で形成される空間の洗浄手段により洗浄される部分を指し、ボウル部のみを指すものではなく、少なくともリム部の一部も含まれるものである。
【０００９】
請求項３では、請求項２において、前記便蓋の裏面の弾性体は、自動洗浄時に前記便器内部で噴出される便器洗浄水の前記便座の着座面への付着を防ぐような構成とされていることを特徴とする。
ここに、本明細書では、人体の局部を洗浄するための洗浄水を局部洗浄水とし、便座を閉じた状態で便器内部を洗浄するための洗浄水を便器洗浄水とし、単に洗浄水とした場合は、少なくとも一方を指すものとする。
【００１０】
請求項４では、請求項３において、前記便蓋の裏面の弾性体は、前記便座の開口部に応じた環状壁部を突設した構造とされ、前記便蓋を閉じたときに、前記環状壁部を前記便座の開口部に嵌入させて、該便座の着座面への前記便器洗浄水の付着を防ぐようにしていることを特徴とする。
【００１１】
請求項５では、請求項３において、前記便蓋の裏面の弾性体は、該便蓋の裏面の全面に取付けられ、前記便座の開口部に応じた膨出部を有する構造とされ、前記便蓋を閉じたときに、前記膨出部を前記便座の開口部に嵌入させて、該便座の着座面への前記便器洗浄水の付着を防ぐようにしていることを特徴とする。
【発明の効果】
【００１２】
請求項１乃至５に記載の洋風便器装置によれば、便座と便器本体のリム部上面との間に隙間が形成されないので、座位にて使用時に尿や局部洗浄水などの便器外部への飛散を防止できる。
また、便器外部への臭気の拡散を低減することもできる。
【００１３】
請求項２では、便蓋を閉じた状態で便器内部を自動洗浄する洋風便器装置において、便蓋と便座、便座とリム部上面に隙間が形成されないので、便器内部の密閉性が増し、自動洗浄の際に、便器洗浄水が便器外部へ飛散することを防止できる。
また、特に寒冷地等では、便蓋を閉じると便器内部の空間の密閉性、保温性が増すため、ボウル部に常時溜められている溜水の凍結を防止することができる。
【００１４】
請求項３では、便蓋の裏面の弾性体は、便座の着座面への便器洗浄水の付着を防ぐ構成としているので、便器内部の自動洗浄時に噴出される便器洗浄水が、便座の着座面に付着することなく、洗浄直後でも不快感を伴うことなく使用が可能な洋風便器装置となる。
【００１５】
請求項４では、便蓋の裏面の弾性体は、環状壁部を突設させた構造としているので、簡易な構成により便座の着座面への便器洗浄水の付着を防止することができる。
【００１６】
請求項５では、便蓋の裏面の弾性体は、便蓋の裏面の全体に取付けられ、膨出部を有する構成としているので、便座と便蓋との当接する範囲が広くなり、便蓋と便座との開閉動作の衝撃を、従来の便蓋に比べてより効果的に吸収することができる。
また、座位にて使用する場合に、便蓋の裏面に取付けられた弾性体が、人体背側のクッションにもなる。
【発明を実施するための最良の形態】
【００１７】
以下に、本発明の実施の形態について、図面を参照しながら説明する。
図１及び図２は、第１実施形態に係る洋風便器装置を示し、図１は、本実施形態の洋風便器装置を示す概略斜視図、図２は、本実施形態に係る洋風便器装置の便座を閉じた状態の要部縦断面図である。
【００１８】
図１に示す洋風便器装置１０では、便器本体１９の後部に水洗タンクを備えていない、水道配管直結方式、いわゆるタンクレスタイプのものを図示しているが、水洗タンクを備えたものにも適用可能である。
図例の便器本体１９は、ボウル部１５と、ボウル部１５の上端に周設されたリム部１２と、ボウル部１５の外周に形設されたスカート部１６と、便器本体１９の後方に位置する便蓋・便座設置部１７に開閉自在に枢着された便座１４及び便蓋１３と、スカート部１６の後方位置に各種装置やボウル部１５への水洗用水を供給する吐出口などを内包するサイドカバー１８を備えている。
リム部１２は、図２に示すように、スカート部１６の上端付近から水平方向に底辺１２ｂとリム部上面１２ａとなる上辺を突設させ、該上辺と底辺１２ｂとに連結される内辺１２ｃとで、断面視略矩形状に形成され、前記吐出口から供給された水洗用水をボウル部１５に向けて、底辺１２ｂの所定の箇所に形成された複数のリム孔より放出する構成となっている。
【００１９】
本実施形態では、人体検知センサ（不図示）が人体の存在を検知すると、便蓋・便座設置部１７に内蔵されている便蓋・便座自動開閉機構（不図示）を作動させ、便蓋１３を起立状態（図１に示す状態）とし、その後、所定の時間、着座センサ（不図示）からの着座検知の信号がないと、便座１４も起立状態（図１に示す状態）とする。所定時間経過後、あるいは、人体検知センサが人体の不在を検知すると、再度、便蓋・便座自動開閉機構を作動させて便蓋１３、便座１４を倒伏させて、更に、自動水洗システム（不図示）を作動させて、汚物を排出する構成としている。
【００２０】
また、前記着座センサが使用者の着座を検知すると、サイドカバー１８に内蔵されている脱臭装置（不図示）を作動させ、非着座を検知すると、脱臭装置を停止させる構成としている。
更に、人体局部洗浄装置（不図示）を内蔵しており、座位にて使用時に使用者のボタン（不図示）操作などにより、人体局部に向けて局部洗浄水を噴出する構成としている。
【００２１】
本実施形態に係る洋風便器装置１０は更に、便座１４の裏面に便座裏面弾性体１１を取付けている。
詳しくは、便座１４の裏面に取付けられた便座裏面弾性体１１は、リム部１２の形状に併せて略楕円状に形成されており、便座１４を閉じた状態では、便座裏面弾性体１１が、リム部上面１２ａの全周に亙って当接して、便座１４とリム部上面１２ａとの間に隙間が形成されないような構成としている。
【００２２】
前記構成によれば、座位にて使用時に尿や局部洗浄水などが便器外部へ飛散することを防止できる。
また、便器外部への臭気の拡散を低減でき、更に、本実施形態のように脱臭装置を内蔵したものでは、便器内部の密閉性により、脱臭装置の脱臭機能を十分に発揮させることができ、便器外部への臭気の拡散を効果的に防止することができる。
【００２３】
尚、本実施形態の便座１４の裏面に取付けられる便座裏面弾性体１１の形状は、図示したものに限られず、便座１４の裏面に取付けが可能で、リム部上面１２ａの全周に亙って、便座裏面弾性体１１が当接できる形状のものであればどのようなものでもよく、幅や厚みなどは適宜、便器の形状などに併せて設計可能である。
また、本実施形態では、便座裏面弾性体１１としてゴムを適用しているが、弾性力を有するものであれば、熱可塑性の合成樹脂材や独立発泡体から形成されたものなど、どのようなものでもよい。
【００２４】
次に、本発明に係る他の実施の形態について、図面を参照しながら説明する。
図３（ａ）及び（ｂ）は、第２実施形態に係る洋風便器装置を示し、（ａ）は、本実施形態に係る洋風便器装置が備える便蓋の斜視図、（ｂ）は、便座及び便蓋を閉じた状態の要部縦断面図である。
【００２５】
第１実施形態との相違点は、便蓋１３を閉じた状態で便器内部を自動洗浄する洗浄手段を備えている点、及び、便蓋１３の裏面に便蓋裏面弾性体２１を設けている点であり、他の構成は、第１実施形態と同様であるため、同一符号を付し、説明を省略する。
【００２６】
詳しくは、本実施形態では、前記自動水洗システムによる水洗動作後、すなわち、使用者の使用後の便座１４及び便蓋１３が閉じられた状態で、洗浄手段を構成する洗浄ノズル２０を駆動させて、便器内部、すなわち、前記水洗動作での汚れの除去が困難である、特に、ボウル部１５の上端付近やリム部１２の底辺１２ｂ、内辺１２ｃなどを洗浄ノズル２０から噴出される便器洗浄水により洗浄する構成となっている。
【００２７】
洗浄ノズル２０は、図３（ｂ）に示すように、ボウル部１５の後方から便器内部の空間の略中央に、その便器洗浄水噴出口２０ａが位置するように、便蓋・便座設置部１７（図１参照）内の洗浄ノズル駆動機構（不図示）により伸長駆動され、便器洗浄水を便器内部に向けて噴出する構成となっている。
【００２８】
本実施形態では、洗浄ノズル２０は、人体局部に向けて局部洗浄水を噴出する人体局部用噴出口２０ｂと、便器内部に向けて便器洗浄水を噴出する便器洗浄水噴出口２０ａを有し、図示のような二段構成とし、人体局部用噴出口２０ｂを先端とする人体局部用ノズル部と、それに回転及び伸縮自在に内装され、便器洗浄水噴出口２０ａを先端とする便器内部用ノズル部から構成されている。
【００２９】
前記のように構成された洗浄ノズル２０は、人体局部を洗浄する際には、人体局部用ノズル部のみが、便器後方から伸長され、人体局部用噴出口２０ｂのみより局部洗浄水を噴出し、また、便器内部を洗浄する際には、人体局部用ノズル部とともに便器内部用ノズル部も伸長され、便器洗浄水噴出口２０ａより便器洗浄水を噴出する構成となっている。
更に、便器内部用ノズル部は、便器洗浄水の噴出中には、回転作動、伸縮作動するように構成されており、これにより、便器内部の全体に便器洗浄水が噴出されるようになっている。
【００３０】
便蓋裏面弾性体２１は、便座１４の着座面１４ａの形状に併せて略楕円形状に形成されており、便蓋１３を閉じた状態では、便蓋裏面弾性体２１が、着座面１４ａの全周に亙って当接して、便蓋１３と便座１４との間に隙間が形成されないような構成としている。
尚、便座１４の裏面には前記第１実施形態と同様の便座裏面弾性体１１が取付けられている。
【００３１】
前記のように構成された洋風便器装置１０Ａでは、便座１４及び便蓋１３を閉じた状態で、洗浄ノズル２０の便器洗浄水噴出口２０ａより便器洗浄水が噴出されると、ボウル部１５の全体、リム部１２の底辺１２ｂや内辺１２ｃ、リム部上面１２ａの一部及び便座１４の裏面及び着座面１４ａの一部、便蓋１３の裏面の一部などは十分に洗浄水の噴出により洗浄されるが、便座１４とリム部上面１２ａ、便座１４の着座面１４ａと便蓋１３との間に、それぞれ隙間が形成されず、便器内部の密閉性が増し、便器洗浄水が便器外部へ飛散することを防止できる。
また、特に寒冷地等では、便蓋１３を閉じると便器内部の空間の密閉性、保温性が増すため、ボウル部１５に常時溜められている溜水の凍結を防止することができる。
【００３２】
尚、洗浄手段としては前記した洗浄ノズル２０に限られず、人体局部用ノズル部とは別体として便器内部用の洗浄ノズルを設けてもよく、また、洗浄ノズルではなく、例えば、洗浄水を微粒子状にしたミストを発生させるミスト発生器をサイドカバー１８内などに設け、ファンにより便器内部全体をミストにより洗浄する構成としてもよい。このような構成によれば、便器内部の隅々にまでミストが行き渡り十分な洗浄をすることができる。
【００３３】
また、洗浄手段による便器内部の洗浄後は、例えば、温風乾燥装置により便器内部を乾燥させる構成としてもよい。温風乾燥装置としては、公知の人体局部の洗浄後に乾燥する装置などを便器内部の乾燥として兼用してもよく、このような構成によれば、カビの発生などを抑制することができる。
【００３４】
更に、洗浄手段による便器内部の洗浄中は、ボウル部からの汚物や水洗用水を排出する際に作動させるトラップ部（不図示）、例えばターントラップ方式のトラップ部を、水洗動作時同様に作動させてもよい。これにより、ボウル部に洗浄水が貯水されることなく排出されるため、ボウル部下方まで十分に洗浄を行え、また、洗浄水がボウル部に満水となることなく便器外部へも溢水することがない。
更にまた、洗浄手段による便器内部の洗浄中は、洗浄中であることをブザーやランプにより報知する構成としてもよい。
【００３５】
次に、本発明の更に他の実施の形態について、図面を参照しながら説明する。
図４（ａ）及び（ｂ）は、第３実施形態に係る洋風便器装置を示し、（ａ）は、本実施形態に係る洋風便器装置が備える便蓋の斜視図、（ｂ）は、便座及び便蓋を閉じた状態の要部縦断面図である。
【００３６】
第２実施形態との相違点は、便蓋裏面弾性体及び便座裏面弾性体の形状であり、他の構成は、第２実施形態と同様であるため、同一符号を付し、説明を省略する。
【００３７】
便座裏面弾性体１１Ａは、本実施形態では、その幅を、便座１４の裏面の幅と略同幅に形成し、便座１４の裏面に取付ける構成としている。
また、便蓋裏面弾性体２２は、洗浄ノズル２０（洗浄手段）による自動洗浄時に便器内部で噴出される便器洗浄水の便座１４の着座面１４ａへの付着を防ぐような構成、すなわち、便座１４の開口部１４ｂに応じた環状壁部２２を突設した構造としている。
詳しくは、便座１４の開口部１４ｂの形状に併せて、略楕円形の環状に突設させ、その突設高さは、図４（ｂ）に示すように、環状壁部２２の外周面が、便座１４の開口部１４ｂの内周縁に当接するような高さとされている。
【００３８】
前記のように構成された環状壁部２２は、便蓋１３を閉じた状態では、便座１４の開口部１４ｂに嵌入されて、前記のような洗浄手段による自動洗浄時に便器内部で噴出される便器洗浄水の便座１４の着座面１４ａへの付着を防ぐものとして機能する。
すなわち、洗浄ノズル２０の便器洗浄水噴出口２０ａより便器洗浄水が噴出されると、ボウル部１５の全体、リム部１２の底辺１２ｂや内辺１２ｃ及び便座裏面弾性体１１Ａの一部、便蓋１３の裏面の一部などは十分に洗浄水の噴出により洗浄されるが、便座１４の着座面１４ａは、環状壁部２２により便器内部と便座１４の着座面１４ａとの間に空隙が形成されず便器洗浄水が付着しない構成となっている。
【００３９】
前記のように構成された洋風便器装置１０Ｂでは、簡易な構成により便座１４の着座面１４ａへの便器洗浄水の付着を防止することができ、自動洗浄直後でも不快感を伴うことなく使用が可能な洋風便器装置となる。
【００４０】
次に、本発明に係る更に他の実施の形態について、図面を参照しながら説明する。
図５（ａ）及び（ｂ）は、第４実施形態に係る洋風便器装置を示し、（ａ）は、本実施形態に係る洋風便器装置が備える便蓋の斜視図、（ｂ）は、便座及び便蓋を閉じた状態の要部縦断面図である。
【００４１】
第３実施形態との相違点は、便蓋裏面弾性体の形状であり、他の構成は、第３実施形態と同様であるため、同一符号を付し、説明を省略する。
【００４２】
便蓋裏面弾性体２３は、便蓋１３の裏面の全面に取付けられ、便座１４の開口部１４ｂに応じた膨出部２３ａを有しており、更に、本実施形態では、便蓋裏面弾性体２３は、便座１４の着座面１４ａの形状に併せた形状とし、着座面１４ａの略全面に便蓋裏面弾性体２３が当接するように形成されている。
【００４３】
前記のように構成された便蓋裏面弾性体２３は、便蓋１３を閉じた状態では、便座１４の開口部１４ｂに膨出部２３ａを嵌入させて、第３実施形態と同様、洗浄手段による自動洗浄時に便器内部で噴出される便器洗浄水の便座１４の着座面１４ａへの付着を防ぐものとして機能する。
【００４４】
前記構成の洋風便器装置１０Ｃによれば、第３実施形態と同様、便座１４の着座面１４ａへの便器洗浄水の付着を防止することができ、自動洗浄直後でも不快感を伴うことなく使用が可能な洋風便器装置となるとともに、便座１４と便蓋１３との当接する範囲が広くなり、便蓋１３と便座１４との開閉動作の衝撃を、従来の便蓋に比べてより効果的に吸収することができる。
また、座位にて使用する場合に、便蓋１３の裏面に取付けられた便蓋裏面弾性体２３が、人体背側のクッションにもなる。
【００４５】
更に、本実施形態のように、便蓋裏面弾性体２３の形状を、便座１４の着座面１４ａの形状に併せた形状とし、着座面１４ａの略全面に弾性体２３が当接するような構成とすれば、便蓋１３を閉じた状態、すなわち、洋風便器装置１０Ｃが使用されていない待機状態では、便座１４の着座面１４ａの保温性を向上させることができる。
また、近年、多用されている便座を加熱する装置を備えた暖房便座であれば、前記構成により、更に、保温性を向上させることができ、また、節電を図ることができる。
【００４６】
尚、便蓋裏面弾性体２３としては、ある程度の弾性力があればどのようなものでもよいが、断熱性のある独立発泡体で構成してもよい。また、便蓋１３を軽量とするために弾性体２３を中空に形成してもよい。更に、弾性体２３を便蓋１３と一体成形としてもよい。
【図面の簡単な説明】
【００４７】
【図１】本発明に係る洋風便器装置の実施形態の一例を示す概略斜視図である。
【図２】本発明に係る洋風便器装置の同実施形態における便座を閉じた状態の要部縦断面図である。
【図３】本発明に係る洋風便器装置の他の実施形態を示し、（ａ）は便蓋の斜視図、（ｂ）は便座及び便蓋を閉じた状態の要部縦断面図である。
【図４】本発明に係る洋風便器装置の更に他の実施形態を示し、（ａ）は便蓋の斜視図、（ｂ）は便座及び便蓋を閉じた状態の要部縦断面図である。
【図５】本発明に係る洋風便器装置の更に他の実施形態を示し、（ａ）は便蓋の斜視図、（ｂ）は便座及び便蓋を閉じた状態の要部縦断面図である。
【図６】従来例を示す図である。
【符号の説明】
【００４８】
１０、１０Ａ、１０Ｂ、１０Ｃ      洋風便器装置
１１、１１Ａ      便座裏面弾性体
１２      リム部
１２ａ      リム部上面
１３      便蓋
１４      便座
１４ａ      便座の着座面
１４ｂ      便座の開口部
１９      便器本体
２０      洗浄ノズル（洗浄手段）
２１、２３      便蓋裏面弾性体
２２      環状壁部（便蓋裏面弾性体）
２３ａ      膨出部（便蓋裏面弾性体）
【図１】
2008023166.tif 000003
【図２】
2008023166.tif 000004
【図３】
2008023166.tif 000005
【図４】
2008023166.tif 000006
【図５】
2008023166.tif 000007
【図６】
2008023166.tif 000008